(57)【要約】【課題】複数のカード収容部からのカード排出を、比較的簡易な構成で実現すること。【解決手段】所望のカード収容部３１に収容された磁気カード１０を発行する場合には、カード受渡機構部４０を所望のカード収容部３１に対応する位置に移動させた状態で、カード受渡機構部４０のプッシャ駆動部４４の駆動によりプッシャ４３を進出移動させて、カードピッカー３６を第１動作位置に向けて押込む。そして、この後、コイルバネ３８の付勢力によりカードピッカー３６を第１動作位置から第２動作位置への移動させることにより、係合突部３６ａを積層状に収容された複数の磁気カード１０うちの一枚に係合させて該磁気カード１０を排出口３２ｈに向けて移動させる。【選択図】図７
2007280156.tif 000002
【特許請求の範囲】
【請求項１】
カード収容部を複数有するカード収容部集合体と、
前記各カード収容部の一つから排出されたカードを受取るカード受渡機構部と、
前記カード受渡機構部を前記各カード収容部に対応する位置に移動させる搬送移動機構部と、
を備え、
前記各カード収容部は、
複数のカードを積層状に収容する収容本体部と、
前記収容本体部内に積層状に収容されたカードを一枚ずつ排出するカード排出動作可能なカード排出機構部と、を有し、
前記カード受渡機構部は、
前記カード排出機構部にカード排出動作を行わせる駆動力を付与するカード排出駆動機構部を有する、カード発行機。
【請求項２】
請求項１記載のカード発行機であって、
前記各カード収容部は、
複数のカードを積層状に収容すると共に積層状に収容されたカードを排出可能な排出口を有する収容本体部と、
カードの側縁部に係合可能な係合突部を有し、前記係合突部を前記収容本体部内で積層状に収容された複数のカードの外周側に配設した第１動作位置と、前記係合突部を前記収容本体部内で積層状に収容された複数のカードの一主面側に配設した第２動作位置との間で移動自在に配設されると共に、前記第１動作位置から前記第２動作位置への移動により、前記係合突部を前記収容本体部内で積層状に配設された複数のカードのうちの一枚に係合させてその一枚のカードを前記排出口に向けて移動させるカードピッカーと、
前記カードピッカーを前記第２動作位置に向けて付勢する付勢手段と、
を有し、
前記カード受渡機構部は、
前記カードピッカーを前記第１動作位置に向けて押込むプッシャと、
前記プッシャに押込み動作を行わせるプッシャ駆動手段と、
を有する、カード発行機。
【請求項３】
請求項１又は請求項２記載のカード発行機であって、
前記カード発行処理機構部は、
カードを所定の送りラインに沿って送るカード送り機構部と、
前記所定の送りラインに沿って送られるカードの一方部分にカード発行処理を施す発行処理部と、
前記所定の送りラインの延長上に設けられ、前記カード送り機構部から送出されたカードを反転させて再度前記カード送り機構部に送込むカード反転機構部と、
を有するカード発行機。
【請求項４】
請求項１〜請求項３のいずれかに記載のカード発行機であって、
前記複数のカード収容部のうち２以上のものが連設されることでカード収容部副集合体が形成され、このカード収容部副集合体が前記カード収容部集合体にセットされる、カード発行機。
【発明の詳細な説明】
【技術分野】
【０００１】
この発明は、磁気カード等のカードを連続的に発行するための技術に関する。
【背景技術】
【０００２】
カード発行機として、複数枚のカードを収容する複数のカード収容部と、カードに対して情報書込み処理等を行うカード処理機構部と、カード収容部からカードを受取って下流側の機構部に向けてカードを搬送するカード受渡機構部とを備えたものがある。従来のカード発行機では、上記カード収容部のそれぞれに、モータ等のカード排出用アクチュエータが設けられており、このカード排出用アクチュエータによってそれぞれのカード収容部からカードを排出するようにしている。
【０００３】
上記カード発行機では、カード発行に際して、発行対象となるカードを収容したカード収容部を一つ選択すると、選択されたカード収容部のカード排出用アクチュエータが駆動して内部のカードを排出するようになっている。そして、カード受渡機構部が、カード収容部から排出されたカードを受取って下流側の機構部に渡すようにしていた。
【発明の開示】
【発明が解決しようとする課題】
【０００４】
しかしながら、従来のカード発行機では、カード収容部のそれぞれに対応してカード排出用アクチュエータが設けられている。このため、構成が複雑化するという問題がある。
【０００５】
そこで、本発明は、複数のカード収容部からのカード排出を、比較的簡易な構成で実現することを目的とする。
【課題を解決するための手段】
【０００６】
この発明に係るカード発行機は、カード収容部を複数有するカード収容部集合体と、前記各カード収容部の一つから排出されたカードを受取るカード受渡機構部と、前記カード受渡機構部を前記各カード収容部に対応する位置に移動させる搬送移動機構部と、を備え、前記各カード収容部は、複数のカードを積層状に収容する収容本体部と、前記収容本体部内に積層状に収容されたカードを一枚ずつ排出するカード排出動作可能なカード排出機構部と、を有し、前記カード受渡機構部は、前記カード排出機構部にカード排出動作を行わせる駆動力を付与するカード排出駆動機構部を有するものである。
【０００７】
また、この場合に、前記各カード収容部は、複数のカードを積層状に収容すると共に積層状に収容されたカードを排出可能な排出口を有する収容本体部と、カードの側縁部に係合可能な係合突部を有し、前記係合突部を前記収容本体部内で積層状に収容された複数のカードの外周側に配設した第１動作位置と、前記係合突部を前記収容本体部内で積層状に収容された複数のカードの一主面側に配設した第２動作位置との間で移動自在に配設されると共に、前記第１動作位置から前記第２動作位置への移動により、前記係合突部を前記収容本体部内で積層状に配設された複数のカードのうちの一枚に係合させてその一枚のカードを前記排出口に向けて移動させるカードピッカーと、前記カードピッカーを前記第２動作位置に向けて付勢する付勢手段と、を有し、前記カード受渡機構部は、前記カードピッカーを前記第１動作位置に向けて押込むプッシャと、前記プッシャに押込み動作を行わせるプッシャ駆動手段と、を有するものであってもよい。
【０００８】
また、前記カード発行処理機構部は、カードを所定の送りラインに沿って送るカード送り機構部と、前記所定の送りラインに沿って送られるカードの一方部分にカード発行処理を施す発行処理部と、前記所定の送りラインの延長上に設けられ、前記カード送り機構部から送出されたカードを反転させて再度前記カード送り機構部に送込むカード反転機構部と、を有するものであってもよい。
【０００９】
また、前記複数のカード収容部のうち２以上のものが連設されることでカード収容部副集合体が形成され、このカード収容部副集合体が前記カード収容部集合体にセットされるものであってもよい。
【発明の効果】
【００１０】
この発明のカード発行機によると、所望のカード収容部に収容されたカードを発行する場合には、搬送移動機構部の駆動により、前記カード受渡機構部を所望のカード収容部に対応する位置に移動させた状態で、カード排出駆動機構部からの駆動力をカード排出機構部に付与する。すると、カード排出機構部は前記収容本体部内に積層状に収容されたカードを一枚ずつ排出するカード排出動作を行う。これにより排出されたカードは、カード受渡機構部で受取られ、適宜発行処理を施されて発行される。このため、一つのカード排出駆動機構部により複数のカード排出機構部にカード排出動作を行わせる駆動力を付与して排出することができ、複数のカード収容部からのカード排出を、比較的簡易な構成で実現することができる。
【００１１】
また、前記各カード収容部は、複数のカードを積層状に収容すると共に積層状に収容されたカードを排出可能な排出口を有する収容本体部と、カードの側縁部に係合可能な係合突部を有し、前記係合突部を前記収容本体部内で積層状に収容された複数のカードの外周側に配設した第１動作位置と、前記係合突部を前記収容本体部内で積層状に収容された複数のカードの一主面側に配設した第２動作位置との間で移動自在に配設されると共に、前記第１動作位置から前記第２動作位置への移動により、前記係合突部を前記収容本体部内で積層状に配設された複数のカードのうちの一枚に係合させてその一枚のカードを前記排出口に向けて移動させるカードピッカーと、前記カードピッカーを前記第２動作位置に向けて付勢する付勢手段と、を有し、前記カード受渡機構部は、前記カードピッカーを前記第１動作位置に向けて押込むプッシャと、前記プッシャに押込み動作を行わせるプッシャ駆動手段と、を有する構成にあっては次の効果を得ることができる。すなわち、所望のカード収容部に収容されたカードを発行する場合には、搬送移動機構部の駆動により、前記カード受渡機構部を所望のカード収容部に対応する位置に移動させ、前記カード受渡機構部のプッシャ駆動手段の駆動によりプッシャを動作させて、前記カードピッカーを前記第１動作位置に向けて押込む。そして、この後、付勢手段の付勢力によりカードピッカーが前記第１動作位置から前記第２動作位置へ移動することにより、前記係合突部が前記収容本体部内で積層状に配設された複数のカードのうちの一枚に係合してその一枚のカードを前記排出口に向けて移動させることになる。従って、一つのカード排出駆動機構部により複数のカード排出機構部にカード排出動作を行わせる駆動力を付与して排出することができ、複数のカード収容部からのカード排出を、比較的簡易な構成で実現することができる。
【００１２】
また、前記カード発行処理機構部が、カードを所定の送りラインに沿って送るカード送り機構部と、前記所定の送りラインに沿って送られるカードの一方部分にカード発行処理を施す発行処理部と、前記所定の送りラインの延長上に設けられ、前記カード送り機構部から送出されたカードを反転させて再度前記カード送り機構部に送込むカード反転機構部とを有していると、カード送り機構部で送られるカードの一方部分に発行処理部によりカード発行処理を施した後、カード反転機構部でカードを反転させて再度カード送り機構部に送込むと、発行処理部により、カードのうち既に発行処理が施された部分とは反対側の部分にもカード発行処理を施すことができる。従って、一つの発行処理部によりカードの両方側部分に発行処理を施すことができる。
【００１３】
なお、ここでの反転処理は、カードをその扁平な面内で反転させて左右反転させるだけでなく、その扁平な面と略平行な軸を中心に反転させて表裏反転させる場合をも含む。前者は、カードの両側部位に発行処理すのに適した例であり、前者は、カードの表裏部位に発行処理を施すのに適した例である。
【００１４】
また、前記複数のカード収容部のうち２以上のものが連設されることでカード収容部副集合体が形成され、このカード収容部副集合体が前記カード収容部集合体にセットされる構成であってもよい。
【００１５】
これにより、各カード収容部間で仕切りを共用したり、また、例えば、カード収容部集合体側で、各カード収容部を個別にセットするための構成やセットした状態で施錠する構成等を共用することができ、この点からも、構成の簡易化及びコンパクト化を図ることができる。
【発明を実施するための最良の形態】
【００１６】
以下、実施形態に係るカード発行機について説明する。ここでは、カード発行機の全体構成について説明してから、主要な各部構成について説明する。
【００１７】
＜全体構成＞
図１はカード発行機の全体構成を示す側面図であり、図２は処理対象となるカードを示す平面図である。なお、図１及び以下の各図において、説明の便宜上、カード発行機の前後方向をＸ軸方向、その幅方向をＹ軸方向、その上下（鉛直）方向をＺ軸方向で表す。
【００１８】
このカード発行機は、略方形板状のカードに発行処理を施して、所定のカードシステムにおいて通用可能なカードとして発行する装置である。
【００１９】
ここで、対象となるカードについて説明しておくと、本実施形態では、図２に示すような磁気カード１０を対象としている。
【００２０】
即ち、この磁気カード１０は、略長方形状のプラスチック板により形成されている。この磁気カード１０の一方面（表面）側の一方長辺側近傍部位にその長辺方向に沿って延びる磁気ストライプ（磁気記録媒体）１２ａが取付けられている。また、この磁気カード１０の一方面（表面）側の他方長辺側近傍部位にもその長辺方向に沿って磁気ストライプ１２ｂが取付けられている。
【００２１】
もっとも、対象となるカードとしては、上記磁気カード１０に限らず、その他ＩＣカードや文字情報が書込まれたプラスチックカード等のカードであってもよい。
【００２２】
本カード発行機は、上記のような磁気カード１０に対して以下の発行処理を行う。すなわち、カード発行機は、磁気カード１０の両側の磁気ストライプ１２ａ，１２ｂに対して情報書込みを行うと共に、エンボス加工、ティツピング加工及び両面の印刷を行う。このカード発行機で発行された磁気カード１０では、両側の磁気ストライプ１２ａ，１２ｂに情報が書込まれると共に、着色されたエンボス文字１２が形成され、さらに、両面に印刷文字１４が設けられるようになる。勿論、実際の発行処理では、上記のうちの一部の発行処理がなされるものであってもよい。
【００２３】
なお、カードに対する発行処理としては、上記各発行処理に替えて又は加えて、ＩＣ記録媒体部分に対する情報書込み（ＩＣカードを用いた場合）、コーティング処理、ラベルの貼付処理等を行うものであってもよい。
【００２４】
カード発行機の全体構成について、図１を参照してより具体的に説明する。
【００２５】
このカード発行機は、カード収容部集合体（インホッパ）２０と、カード受渡機構部４０と、第１カード受渡反転機構部６０と、カードリードライト部８０と、第２カード受渡反転機構部９０と、印刷部１００と、エンボス加工部１１０と、ティツピング加工部１１５と、カード搬送機構部１２０とを備えている。そして、図示省略の入力手段を介して制御ユニット１４０に各磁気カード１０に対する各発行処理に関する指令を入力すると、制御ユニット１４０が該指令に応じて上記各部を制御するようになっている。
【００２６】
カード収容部集合体２０は複数の磁気カード１０を収容可能に構成されており、このカード収容部集合体２０から一枚ずつ磁気カード１０が排出されるようになっている。
【００２７】
このカード収容部集合体２０から排出された磁気カード１０は、カード受渡機構部４０に渡される。カード受渡機構部４０は、受取った磁気カード１０を次述するカード搬送機構部１２０に渡す。
【００２８】
なお、これらカード収容部集合体２０及びカード受渡機構部４０については後に詳述する。
【００２９】
カード搬送機構部１２０は、磁気カード１０を所定姿勢（例えば垂直姿勢）で把持する把持部１２２と、この把持部１２２を装置内でＸＺ方向に移動させるＸＺ移動機構部１２４とを有している。このカード搬送機構部１２０は、磁気カード１０を把持して、カード受渡機構部４０と、第１カード受渡反転機構部６０と、エンボス加工部１１０と、ティツピング加工部１１５との間で磁気カード１０を搬送する。
【００３０】
第１カード受渡反転機構部６０は、カード搬送機構部１２０と、カードリードライト部８０と、第２カード受渡反転機構部９０との間で磁気カード１０の中継受渡しを行うと共に、カードリードライト部８０から戻された磁気カード１０を左右反転させて再度カードリードライト部８０に送込み可能に構成されている。
【００３１】
なお、本実施形態では、カード搬送機構部１２０と第１カード受渡反転機構部６０との間で磁気カード１０の受渡しを行う例で説明するが、カード搬送機構部１２０と第２カード受渡反転機構部９０との間で磁気カード１０の受渡しを行うようにしてもよい。
【００３２】
カードリードライト部８０は、磁気カード１０を所定の送り方向に沿って順路方向及びその逆方向に送ると共に送られた磁気カード１０の一方の磁気ストライプ１２ａ又は磁気ストライプ１２ｂに情報を書込み可能に構成されている。
【００３３】
これら第１カード受渡反転機構部６０とカードリードライト部８０については後に詳述する。
【００３４】
第２カード受渡反転機構部９０は、第１カード受渡反転機構部６０と印刷部１００との間で磁気カード１０の中継受渡しを行うと共に、印刷部１００から戻された磁気カード１０を表裏反転させて再度印刷部１００に送込み可能に構成されている。
【００３５】
印刷部１００は、磁気カード１０の一方側の面（例えば上側の面）に印刷処理可能に構成されている。印刷は、一般的なインクを用いた印刷であってもよいし、レーザー等で物理的な凹凸を形成して印刷するものであってもよい。要するに、印刷部１００としては、磁気カード１０に目視可能な表示を付する種々の周知構成を採用することができる。
【００３６】
エンボス加工部１１０は、磁気カード１０に対して凹凸による文字を書込み可能に構成されている。ここでは、エンボス加工部１１０は、カード搬送機構部１２０で搬送されている途中の磁気カード１０に対してエンボス加工を施すようになっている。このようなエンボス加工部１１０としては、プラスチック板に予め加工された文字型等を押付けることでそのプラスチック板に文字型に倣った凹又は凸を付することができる周知のエンボス加工手段を適用することができる。
【００３７】
ティツピング加工部１１５は、上記エンボス加工された文字の凸部に着色を付する手段である。このようなティツピング加工部１１５としては、例えば、インクリボン等を加熱状態でエンボス加工文字の凸部に押付けて転写する手段等、種々の周知手段を適用することができる。
【００３８】
このように構成されたカード発行機におけるカードの処理の流れについて説明しておく。
【００３９】
すなわち、初期状態ではカード収容部集合体２０に複数の磁気カード１０が収容されている。そして、発行処理が開始されると、カード収容部集合体２０から一枚の磁気カード１０が排出される（矢符Ａ参照）。この磁気カード１０は、カード受渡機構部４０が受取ってカード搬送機構部１２０に渡す（矢符Ｂ参照）。
【００４０】
磁気カード１０は、カード搬送機構部１２０から一旦第１カード受渡反転機構部６０に渡される（矢符Ｃ参照）。そして、第１カード受渡反転機構部６０からカードリードライト部８０に送込まれ、カードリードライト部８０で、磁気カード１０の一方側の磁気ストライプ１２ａに情報が書込まれた後、この磁気カード１０は第１カード受渡反転機構部６０に戻される（矢符Ｄ１参照）。すると、第１カード受渡反転機構部６０は、磁気カード１０を左右反転させて再度カードリードライト部８０に送込む。カードリードライト部８０は、次に、磁気カード１０の他方の磁気ストライプ１２ｂに情報を書込んで、再度第１カード受渡反転機構部６０に戻す（矢符Ｄ２参照）。
【００４１】
次に、第１カード受渡反転機構部６０は、磁気カード１０を第２カード受渡反転機構部９０に受渡す（矢符Ｅ参照）。すると、第２カード受渡反転機構部９０は、磁気カード１０を印刷部１００に送込む。印刷部１００は磁気カード１０の一方面に所定の印刷処理を施した後、磁気カードを第２カード受渡反転機構部９０に戻す（矢符Ｆ１参照）。すると、第２カード受渡反転機構部９０は、磁気カード１０を表裏反転させた後、再度印刷部１００に送込む。今度は、印刷部１００は、磁気カード１０の他方面に印刷処理を施し、この後、磁気カード１０を第２カード受渡反転機構部９０に戻す（矢符Ｆ２参照）。
【００４２】
次に、磁気カード１０は、第２カード受渡反転機構部９０から第１カード受渡反転機構部６０を経由して（矢符Ｇ参照）カード搬送機構部１２０に渡される（矢符Ｈ参照）。磁気カード１０を受取ったカード搬送機構部１２０は、磁気カード１０をエンボス加工部１１０による加工可能位置まで搬送し（矢符Ｉ参照）、そこで、磁気カード１０に対するエンボス加工が施される。この後、カード搬送機構部１２０は、磁気カード１０をティツピング加工部１１５に搬送する（矢符Ｊ参照）。これにより、ティツピング加工部１１５において、磁気カード１０に対するティツピング加工部１１５が施される。この後、磁気カード１０は、カード搬送機構部１２０から第１カード受渡反転機構部６０及びカードリードライト部８０を経由して取出口１３０から外部に排出される（矢符Ｋ，Ｌ，Ｍ参照）。
【００４３】
このようにして各種発行処理が施された磁気カード１０が得られる。
【００４４】
＜カード収容部集合体及びカード受渡機構部＞
カード収容部集合体２０及びカード受渡機構部４０についてより具体的に説明する。図３はカード収容部集合体及びカード受渡機構部を示す側面図であり、図４はカード収容部集合体及びカード受渡機構部を示す背面図であり、図５はカード収容部集合体内のホッパカセットを示す平面図であり、図６は同ホッパカセットを示す横断面図である。
【００４５】
カード収容部集合体２０は、カード収容部３１を複数有している。より具体的には、カード収容部集合体２０は、複数のホッパカセット（カード収容部副集合体）３０と、ホッパカセット３０を収容する収容空間部２２ｈを複数段（ここでは上下５段）有する集合体本体部２２とを備えている。
【００４６】
ホッパカセット３０は、金属板等を適宜屈曲加工等することで形成された部材であり、複数（ここでは３つ）のカード収容部３１が横方向に連設された構成とされている。このホッパカセット３０は、上記収容空間部２２ｈに着脱自在にセット可能に構成され、収容空間部２２ｈから取外された状態で各カード収容部３１に磁気カード１０が積層状に収容される。
【００４７】
このように複数（ここでは３つ）のカード収容部３１を横方向に連設してホッパカセット３０を構成することで次のメリットを得ることができる。
【００４８】
まず、各カード収容部３１をそれぞれ別構成とした場合には、各カード収容部３１毎に一対の側壁を設ける必要がある。ところが、複数のカード収容部３１を横方向に連設することで、各カード収容部３１間で仕切壁を共有することができ、構成の簡易化及びコンパクト化を図ることができる。
【００４９】
また、  カード収容部集合体２０側でも、各カード収容部３１毎に収容空間を形成する必要はなく、各ホッパカセット３０毎に収容空間を形成すればよいため、この点からも、構成の簡易化及びコンパクト化を図ることができる。
【００５０】
さらに、通常、カセット発行機では、生の磁気カード１０が許可無く持出されたりすることを防止するために、施錠機構が組込まれる。この場合に、上記構成によれば、各カード収容部３１別に施錠機構を設ける必要はなく、ホッパカセット３０毎に施錠機構（本実施形態では図示省略）を設ければよいことになる。従って、この点からも、構成の簡易化及びコンパクト化を図ることができることになる。
【００５１】
各カード収容部３１は、収容本体部３２と、カードピッカー３６と、コイルバネ３８とを有している（図５及び図６参照）。
【００５２】
収容本体部３２は、磁気カード１０の平面視の大きさよりも大きな平面視の大きさを有する収容空間を有しており、この収容空間内に磁気カード１０を上下方向に積層した状態で収容可能とされている。また、この収容本体部３２のうちカード受渡機構部４０側の部分であって、カードピッカー３６の上面延長上には、磁気カード１０を外部に排出可能な排出口３２ｈが形成されている。
【００５３】
カードピッカー３６は、樹脂等で形成された部材であり、磁気カード１０の側縁部に係合可能な係合突部３６ａを有している。より具体的には、カードピッカー３６は、平面視略方形状の厚板状部材に形成されており、その上面のうちのカード受渡機構部４０側部分が略水平な平面３６ｄに形成されると共に、その上面のうちカード受渡機構部４０側部分とは反対側の端縁部に係合突部３６ａが形成されている。また、平面３６ｄと係合突部３６ａ間の部分は、係合突部３６ａ側に向けて昇り傾斜となる傾斜面３６ｃに形成されている。係合突部３６ａは、傾斜面３６ｃの端縁部からカード受渡機構部４０側に指向する段部３６ｂを介して突出しており、その突出寸法（即ち、段部３６ｂの高さ寸法）は、一枚分の磁気カード１０の厚み寸法と略同じ又はそれよりも小さくなっている。これにより、係合突部３６ａが、積層された磁気カード１０のうちの一枚の側縁部のみに係合する構成となっている。
【００５４】
また、このカードピッカー３６は、上記収容本体部３２内で移動自在に配設されている。より具体的には、収容本体部３２の底部の両側部に一対の載置部３３が設けられると共に、載置部３３間に棒状のスライド支持部３４がＸ方向に沿って設けられている。カードピッカー３６は、一対の載置部３３間で、内部にスライド支持部３４をスライド自在に挿通することで移動自在に配設されている。
【００５５】
また、このカードピッカー３６は、第１動作位置と第２動作位置との間で移動自在とされている。第１動作位置は、上記係合突部３６ａを積層状に収容された複数の磁気カード１０の外周側に配設した位置であり（図７（ｂ）参照）、第２動作位置よりもカード受渡機構部４０から離れた位置に設定されている（図７（ａ）参照）。また、第２動作位置は、係合突部３６ａを積層状に収容された複数の磁気カード１０の一主面（下面）側に配設した位置であり、第１動作位置よりもカード受渡機構部４０に近い位置に設定されている。
【００５６】
そして、カードピッカー３６を第２動作位置に配設した状態で、該カードピッカー３６上に複数の磁気カード１０が積層状に配設される。この状態では、磁気カード１０は、係合突部３６ａ側部分を若干持上げた傾き姿勢で積層される。この状態で、カードピッカー３６を第１動作位置に移動させる。この際、収容部本体部３２側に設けられたストッパ（図示省略）により磁気カード１０を当初位置に残留させたままの状態でカードピッカー３６が移動して、係合突部３６ａが磁気カード１０の外周側に配設される。続いて、カードピッカー３６を第１動作位置から第２動作位置へ移動させると、その途中で係合突部３６ａは一番下の磁気カード１０の側縁部に係合する。さらにカードピッカー３６を第２動作位置に向けて移動させると、磁気カード１０は係合突部３６ａにより押されるようにして排出口３２ｈに向けて移動することになる。この際、下から２枚目よりも上の磁気カード１０は、収容部本体部３２側に設けられたストッパ３１０により移動を規制されることにより、当初の位置に残留したままとなっている。
【００５７】
コイルバネ３８は、カードピッカー３６を第２動作位置に向けて付勢する付勢手段である。より具体的には、コイルバネ３８は、カードピッカー３６と、カード収容部３１の壁部であってカード受渡機構部４０とは反対側にあるものとの間に介在配置されている。そして、カードピッカー３６が第１動作位置に向けて移動するとコイルバネ３８が圧縮され、その弾性復元力によりカードピッカー３６を第２動作位置に向けて付勢するようになっている。
【００５８】
つまり、これらカードピッカー３６及びコイルバネ３８は、収容本体部３２内に収容された磁気カード１０のうちの一枚を排出するカード排出動作可能なカード排出機構部として機能する。
【００５９】
なお、本実施形態では、ホッパカセット３０に、シャッター３９ａ及びカード検知ピン３９ｂが設けられている。
【００６０】
シャッター３９ａは、上記排出口３２ｈを閉塞する位置と開放する位置との間で移動自在に配設されている（図６参照）。このシャッター３９ａは、周知のリンク機構等によって、ホッパカセット３０を集合体本体部２２にセットすることで排出口３２ｈを開放させ、ホッパカセット３０を集合体本体部２２から取外すことによって排出口３２ｈを閉塞するようになっている。これにより、ホッパカセット３０を取外した状態で、排出口３２ｈから磁気カード１０が脱落しないようになっている。
【００６１】
また、カード検知ピン３９ｂは、一対の載置部３３のうちの一方であってカード受渡機構部４０側部分に設けられている。カード検知ピン３９ｂは、出没自在でかつバネ等の付勢手段によって突出方向に付勢されている。なお、付勢手段の付勢力は、おもり（図示省略）等によって、磁気カード１０を一枚載置することでカード検知ピン３９ｂが退避できるように調整されている。つまり、カード収容部３１内に磁気カード１０が残っている状態では、カード検知ピン３９ｂは退避し、磁気カード１０が無くなるとカード検知ピン３９ｂは突出するようになっている。本実施形態では、ホッパカセット３０に３つのカード収容部３１が並設されているため、各カード検知ピン３９ｂはＸ方向にずらした位置に設けられている。そして、集合体本体部２２の側方に設けられた透過型又は反射型の光センサ３９ｃによって、それぞれのカード検知ピン３９ｂの出没状況が検知されるようになっている。この検知信号は、制御ユニット１４０に与えられ、制御ユニット１４０において各カード収容部３１内の磁気カード１０の有無を監視できるようになっている。
【００６２】
また、収容本体部３２には、各カード収容部３１に対応して、上記のようにして排出された磁気カード１０をさらに外方に向けて送出す一対の送出しローラ２４ａ，２４ｂが設けられる（図６参照）。
【００６３】
また、背面側部材２２ａであって各段の排出口３２ｈの上側位置に、ローラ支持軸部２５が回転自在に支持されている。このローラ支持軸部２５であって各排出口３２ｈに対応する位置に、他方側（上側）の送出しローラ２４ａが固着されている（図３、図４及び図６参照）。
【００６４】
上記各段のローラ支持軸部２５は次の構成によって回転駆動される。すなわち、各ローラ支持軸部２５の一端部は、集合体本体部２２の一端部より突出しており、その一端部にローラ用プーリー２６ａが取付けられている。上下で隣合う各ローラ用プーリー２６ａには、環状ベルト２６ｂが巻掛けられている。また、集合体本体部２２の一側部には、送出しローラ２４ａを回転駆動させるローラ用アクチュエータとして、ローラ用モータ２６ｍが設けられている。このローラ用モータ２６ｍの回転軸に取付けられたプーリー２６ｃと最下のローラ用プーリー２６ａとに環状ベルト２６ｄが巻掛けられている。そして、ローラ用モータ２６ｍの回転駆動力が、プーリー２６ｃ、環状ベルト２６ｄ、ローラ用プーリー２６ａ、環状ベルト２６ｂ及びローラ支持軸部２５等を介して各送出しローラ２４ａに伝達される。これにより、単一のローラ用モータ２６ｍの駆動によって、全ての送出しローラ２４ａが回転駆動されるようになっている。
【００６５】
また、集合体本体部２２の背面側部材２２ａであって各カード収容部３１の排出口３２ｈの下側位置に、支持ブラケット２２ｂが取付けられている。そして、この支持ブラケット２２ｂに一方側（下側）の送出しローラ２４ｂが回転自在に取付けられている。
【００６６】
これら一対の送出しローラ２４ａ，２４ｂにより、排出された磁気カード１０は次のようにして外方に向けて送出される。すなわち、排出口３２ｈから磁気カード１０が排出されると、その磁気カード１０は一対の送出しローラ２４ａ，２４ｂ間に挟込まれる。そして、送出しローラ２４ａの回転駆動により、下側の送出しローラ２４ｂを従動回転させつつ、磁気カード１０が外方に向けて送出される。
【００６７】
なお、上記支持ブラケット２２ｂには、中継プッシャ２２ｃがＸ軸方向に沿って移動自在に取付けられており、後述するプッシャ４３は本中継プッシャ２２ｃを介してカードピッカー３６をＸ軸方向に沿って押込むようになっている。
【００６８】
カード受渡機構部４０は、各カード収容部３１の一つから排出された磁気カード１０を受取り可能に構成されている。また、このカード受渡機構部４０は、上記カード排出機構部（カードピッカー３６及びコイルバネ３８）にカード排出動作を行わせる駆動力を付与するカード排出駆動機構部として、プッシャ４３と、プッシャ駆動部４４とを有している（図３、図４及び図７参照）。
【００６９】
より具体的に説明すると、カード受渡機構部４０は、搬送移動機構部５０により、集合体本体部２２の背面側でＹＺ方向に沿って移動されて各カード収容部３１に対応する位置に移動される。
【００７０】
カード受渡機構部４０は、載置ステージ４２と、載置ステージ４２の上下部分に設けられた受取ローラ４６ａ，４６ｂとを有している。載置ステージ４２は、磁気カード１０を載置可能な程度の大きさを有する略方形状の板状部材であり、集合体本体部２２側の部分は下向き傾斜しており、排出口３２ｈから排出された磁気カード１０を円滑に載置ステージ４２上に導くようになっている。また、受取ローラ４６ａ，４６ｂは、載置ステージ４２の略中央部の上方及び下方で回転自在に支持されている。
【００７１】
カード受渡機構部４０が一の排出口３２ｈに対応する位置に配設された状態で、載置ステージ４２上に向けて磁気カード１０が送出されると、磁気カード１０は載置ステージ４２上をスライド移動して受取ローラ４６ａ，４６ｂ間に挟込まれる。磁気カード１０がさらに送込まれると、磁気カード１０の上下面で受取ローラ４６ａ，４６ｂを従動回転させつつ、磁気カード１０が載置ステージ４２上の所定位置に載置支持される。
【００７２】
なお、載置ステージ４２上であって磁気カード１０の送り経路途中には、カード排出検出部４５ａが起伏自在に設けられており、磁気カード１０が載置ステージ４２上に載置される途中で、磁気カード１０がカード排出検出部４５ａを倒伏させるようになっている。このカード排出検出部４５ａの倒伏は、リミットスイッチ等を用いたセンサによって検出され、その検出信号が制御ユニット１４０に与えられる。これにより、制御ユニットは、磁気カード１０の排出を確認して諸制御を行う。
【００７３】
また、このカード受渡機構部４０に、プッシャ４３及びプッシャ駆動部４４が設けられている。プッシャ４３は、載置ステージ４２が磁気カード１０を受取る位置で、中継プッシャ２２ｃの延長線に沿って出退自在に配設されている。そして、このプッシャ４３が進出することで、中継プッシャ２２ｃを介してカードピッカー３６を第１動作位置に向けて押込むようになっている。なお、中継プッシャ２２ｃを省略して、プッシャ４３が直接カードピッカー３６を押込むようにしてもよい。プッシャ駆動部４４は、プッシャ４３に押込み動作を行わせるプッシャ駆動手段であり、プッシャ４３を出退させるアクチュエータとしてのプッシャ用モータ４４ａと、プッシャ用モータ４４ａの回転軸に固着されたクランク部４４ｂと、第１連結ロッド４４ｃ及び第２連結ロッド４４ｄとを有している。第２連結ロッド４４ｄの一端部はカード受渡機構部４０に回転自在に連結されており、その他端部はプッシャ４３の基端部に回転自在に連結されている。また、第１連結ロッド４４ｃの一端部はクランク部４４ｂの偏心軸部に回転自在に連結されており、その他端部は第２連結ロッド４４ｄの略中間部に回転自在に連結されている。
【００７４】
そして、プッシャ用モータ４４ａの回転運動が、クランク部４４ｂ、第１連結ロッド４４ｃ及び第２連結ロッド４４ｄを介してＸ軸方向の往復直線運動に変換されてプッシャ４３に伝達されるようになっている。
【００７５】
搬送移動機構部５０は、カード受渡機構部４０をＹ軸方向に沿って移動させる第１移動機構部５１と、カード受渡機構部４０をＺ軸方向に沿って移動させる第２移動機構部５５とを有している。
【００７６】
第１移動機構部５１は、Ｙ軸方向に沿って延びるキャリア部材５２と、Ｙ軸方向に沿って延びるように配設されたスライド支持ロッド５３と、カード受渡機構部４０をＹ軸方向に沿って往復移動させる第１往復移動部５４とを備えている。
【００７７】
キャリア部材５２は、平面視略長方形状の底面部の両側部に側壁部を形成した形状に形成されており、この内部にスライド支持ロッド５３がＹ軸方向に沿って延びるように支持されている。このスライド支持ロッド５３がカード受渡機構部４０内にスライド自在に挿入されることで、カード受渡機構部４０がＹ軸方向に沿って移動自在に支持されている。
【００７８】
第１往復移動部５４は、キャリア部材５２の両端部に設けられた一対の水平移動プーリー５４ａ，５４ｂと、一対の水平移動プーリー５４ａ，５４ｂに巻掛けられた水平移動ベルト５４ｃと、一方側の水平移動プーリー５４ａを回転させるアクチュエータとしての水平移動用モータ５４ｄとを有している。
【００７９】
上記カード受渡機構部４０は、一対の水平移動プーリー５４ａ，５４ｂ間で水平移動ベルト５４ｃに固着されている。また、水平移動用モータ５４ｄの回転駆動力は、ギヤ機構等の動力伝達機構を介して一方側の水平移動プーリー５４ａに伝達される。
【００８０】
そして、水平移動用モータ５４ｄが正転又は逆転方向へ回転することにより、水平移動ベルト５４ｃが正転方向又は逆転方向へ回転駆動する。この水平移動ベルト５４ｃの正転方向又は逆転方向へ回転駆動に応じて、カード受渡機構部４０がＹ軸方向に沿って往復移動するようになっている。
【００８１】
第２移動機構部５５は、一対の鉛直ロッド部５６と、カード受渡機構部４０を第１移動機構部５１と共にＺ軸方向に沿って移動させる第２往復移動部５７とを有している。
【００８２】
一対の鉛直ロッド部５６は、集合体本体部２２の背面側の両側部でＺ軸方向に沿って延びるように支持されている。この一対の鉛直ロッド部５６がキャリア部材５２の両端部にスライド自在に挿通されることで、キャリア部材５２がＺ軸方向に沿って移動自在に支持されている。
【００８３】
第２往復移動部５７は、集合体本体部２２の一側部の上下部位に設けられた一対の鉛直移動プーリー５７ａ，５７ｂと、一対の鉛直移動プーリー５７ａ，５７ｂに巻掛けられた鉛直移動ベルト５７ｃと、一方側の鉛直移動プーリー５７ａを回転させるアクチュエータとしての鉛直移動用モータ５７ｄとを有している。
【００８４】
キャリア部材５２の一端部は、一対の鉛直移動プーリー５７ａ，５７ｂ間で鉛直移動ベルト５７ｃに固着されている。また、鉛直移動用モータ５７ｄの回転軸に固着されたプーリー５７ｅと一方側の鉛直移動プーリー５７ａとに、鉛直移動ベルト５７ｆが巻掛けられている。そして、鉛直移動用モータ５７ｄの正転方向又は逆転方向への回転が、プーリー５７ｅ、鉛直移動ベルト５７ｆ及び鉛直移動プーリー５７ａを介して、鉛直移動ベルト５７ｃに伝達され、該鉛直移動ベルト５７ｃが正転方向又は逆転方向に回転する。この鉛直移動ベルト５７ｃの正転方向又は逆転方向への回転に応じて、キャリア部材５２と共にカード受渡機構部４０がＺ軸方向に往復移動するようになっている。
【００８５】
カード収容部集合体２０からカード受渡機構部４０への磁気カード１０の排出受渡動作について図７を参照して説明する。
【００８６】
まず、初期状態では、各カード収容部３１内にそれぞれ磁気カード１０が積層状に収容される。通常は、各カード収容部３１にそれぞれ異なる種類の磁気カード１０が収容される。なお、各図では、排出される磁気カード１０を一枚だけ示しているが、実際には、この上方に複数の磁気カード１０が積層状に収容されている。そして、搬送移動機構部５０により、カード受渡機構部４０は、発行処理を行う対象となる磁気カード１０を収容したカード収容部３１に対応する位置に移動する。
【００８７】
この状態では、図７（ａ）に示すように、ローラ用モータ２６ｍの駆動により各送出しローラ２４ａが回転駆動された状態となっている。
【００８８】
次に、図７（ｂ）に示すように、プッシャ駆動部４４の駆動により、プッシャ４３が進出移動する。すると、プッシャ４３は、中継プッシャ２２ｃを介してカードピッカー３６を第２動作位置から第１動作位置に向けて押込む。すると、カードピッカー３６の係合突部３６ａは磁気カード１０の外周側位置に配設され、磁気カード１０の外周側位置に係合可能になる。この際、磁気カード１０の一端部は、係合突部３６ａの高さ分に傾斜面３６ｃの高さ分を付加した分高い位置に配設されており、つまり、磁気カード１０は、係合突部３６ａ側で若干高くなった傾斜姿勢とされている。このように磁気カード１０をその長手方向両端側で支持しつつ傾斜させることにより、磁気カード１０が多少湾曲しているような場合でも、係合突部３６ａを一枚だけの該磁気カード１０に係合させて排出できるようになっている。
【００８９】
次に、図７（ｃ）に示すように、プッシャ駆動部４４の駆動により、プッシャ４３が退避移動する。すると、コイルバネ３８の弾性復元力により、カードピッカー３６は第１動作位置から第２動作位置に向けて移動する。この際、係合突部３６ａは最も下の一枚の磁気カード１０の外周部に係合するので、その磁気カードをカード受渡機構部４０側に向けて移動させる。これにより、磁気カード１０は、排出口３２ｈを通って外部に排出され、その移動方向先端側部分は一対の送出しローラ２４ａ，２４ｂ間に挟込まれる。
【００９０】
次に、図７（ｄ）に示すように、送出しローラ２４ａの回転駆動により、磁気カード１０はさらに外方の載置ステージ４２に向けて送出される。この状態では、磁気カード１０は、一対の送出しローラ２４ａ，２４ｂ間から脱する位置まで排出される。
【００９１】
さらに、図７（ｅ）に示すように、搬送移動機構部５０により、カード受渡機構部４０は、上側の送出しローラ２４ａの回転軸と対応する高さ位置に移動する。その移動途中で、磁気カード１０は送出しローラ２４ａに接触するので、磁気カード１０はさらに載置ステージ４２の奥に向けて送出される。この際、受取ローラ４６ａ，４６ｂにより、磁気カード１０の浮上がり等が防止される。最終的には、カード受渡機構部４０上に載置された磁気カード１０は、該磁気カード１０のうちのカード収容部集合体２０側の端部が、上側の送出しローラ２４ａのうちのカード受渡機構部４０側の部分に接する程度の位置まで送り出される。
【００９２】
なお、従動回転する側である下側の送出しローラ２４ｂは、回転駆動側である上側の送出しローラ２４ａよりも小径に形成されている。これにより、上記のようにして送出された磁気カード１０が、搬送移動機構部５０の駆動によりＹ軸方向及びＺ軸方向に移動する際に、下側のローラ２４ａにも干渉しないようになっている。
【００９３】
この後、搬送移動機構部５０により、カード受渡機構部４０はカード収容部集合体２０の側方に移動して、磁気カード１０をカード搬送機構部１２０に渡す。
【００９４】
このように構成されたカード収容部集合体２０、カード受渡機構部４０及び搬送移動機構部５０を備えたカード発行機によると、所望のカード収容部３１に収容された磁気カード１０を発行する場合には、搬送移動機構部５０の駆動により、カード受渡機構部４０を所望のカード収容部３１に対応する位置に移動させた状態で、カード排出駆動機構部からの駆動力をカード排出機構部に付与する。すると、カード排出機構部は積層状に収容された磁気カード１０のうちの一枚を排出するカード排出動作を行う。すなわち、カード受渡機構部４０のプッシャ駆動部４４の駆動によりプッシャ４３を進出移動させて、カードピッカー３６を第１動作位置に向けて押込む。そして、この後、コイルバネ３８の付勢力によりカードピッカー３６を第１動作位置から第２動作位置への移動させることにより、係合突部３６ａを積層状に収容された複数の磁気カード１０のうちの一枚に係合させて該磁気カード１０を排出口３２ｈに向けて移動させる。これにより排出された磁気カード１０は、カード受渡機構部４０によりカードリードライト部８０等の他のカード発行処理手段に向けて搬送されて発行処理を施されて発行される。
【００９５】
このため、一つのカード排出駆動機構部（プッシャ４３及びプッシャ駆動部４４）により、複数のカード排出機構部（カードピッカー３６及びコイルバネ３８）にカード排出動作を行わせることができる。従って、複数のカード収容部３１からの磁気カード１０排出を、比較的簡易な構成で実現することができる。
【００９６】
＜第１カード受渡反転機構部及びカードリードライト部＞
カード発行処理部である第１カード受渡反転機構部６０及びカードリードライト部８０についてより具体的に説明する。
【００９７】
図８は第１カード受渡反転機構部及びカードリードライト部を示す側面図であり、図９は第１カード受渡反転機構部及びカードリードライト部を示す正面図である。
【００９８】
カードリードライト部８０は、磁気カード１０の磁気ストライプ１２ａ，１２ｂに情報を書込む装置であり、カード送り機構部８２と、発行処理部としての磁気読書部８４とを有している。
【００９９】
カード送り機構部８２は、磁気カード１０を所定の送りラインＰ（Ｘ軸に沿ったライン）に沿って送る手段であり、上下一組のローラ部８２ａが、送りラインＰに沿って複数組設けられた構成とされている（図８及び図９では一組のみ図示）。また、カード送り機構部８２は、これらローラ部８２ａのうち少なくとも一つを回転駆動させる送り用モータ８３を有している。そして、この送り用モータ８３の駆動によってローラ部８２ａが正転方向又は逆転方向に回転駆動されて、磁気カード１０が送りラインＰに沿って双方向に送られるようになっている。
【０１００】
磁気読書部８４は、送りラインＰに沿って送られる磁気カード１０の一方部分である磁気ストライプ１２ａ又は磁気ストライプ１２ｂに情報書込み及び読取りを行って発行処理を施す手段である。この磁気読書部８４は、磁気カード１０の一方部分、より具体的には、平面視形状における一方の長辺側部分において、その両面に接する一対の磁気ヘッドを有しており、磁気カード１０の一側部側に設けられた磁気ストライプ１２ａ，１２ｂであれば、上面側であっても下面側であっても情報を読み書きできるようになっている。従って、磁気カード１０の他方側面（裏面）に磁気ストライプがある場合にもこれに対する情報読書き処理を行えるようになっている。
【０１０１】
第１カード受渡反転機構部６０は、所定の送りラインＰの延長上に設けられており、上記カード送り機構部８２から送出された磁気カード１０を反転させて再度カード送り機構部８２に送込むように構成されている。
【０１０２】
より具体的には、第１カード受渡反転機構部６０は、磁気カード１０を送るカード送り部６２と、該カード送り部６２を回転させる回転機構部７０とを有している。
【０１０３】
回転機構部７０は、本装置の筐体に固定されたブラケット６８に設けられており、回転支持フレーム７８を回転させる。より具体的には、回転機構部７０は、回転用モータ７２と、回転軸部７４と、回転用モータ７２の回転駆動力を回転軸部７４に伝達する複数のギヤ７５とを有している。ブラケット６８は、側方に開口する略Ｕ字状部分を有しており、その下片に回転用モータ７２が取付られると共に、ギヤ７５が回転自在に取付けられいる。また、ブラケットの略Ｕ字状部分の上辺及び下片に一対の回転軸部７４が回転自在に支持されており、各回転軸部７４の先端部に回転支持フレーム７８が取付けられている。そして、回転用モータ７２の回転駆動力がギヤ７５を介して下側の回転軸部７４に伝達されて、回転支持フレーム７８及びこれに取付けられたカード送り部６２が回転するようになっている。これにより、カード送り部６２に保持された磁気カード１０が水平面内で回転軸部７４（Ｚ軸）を中心にして回転可能とされる。
【０１０４】
カード送り部６２は、回転支持フレーム７８に取付けられており、回転支持フレーム７８を回転させるとカード送り部６２も回転するようになっている。
【０１０５】
このカード送り部６２は、一対の従動ローラ６４ｂと、一対の駆動ローラ６４ａと、駆動ローラ６４ｂを回転駆動させるためのローラ回転用モータ６６と、ローラ回転用モータ６６の回転駆動力を駆動ローラ６４ａに伝達する複数のギヤ６７と、磁気カード１０を受ける送りステージ７６とを有している。
【０１０６】
一対の従動ローラ６４ｂと一対の駆動ローラ６４ａとは、送りラインＰの延長上のラインを上下で挟込んで対向する位置で、回転支持フレーム７８に回転自在に配設されている。また、一対の従動ローラ６４ｂと一対の駆動ローラ６４ａとの間の略水平面上の位置に上記送りステージ７６が設けられている。
【０１０７】
また、回転支持フレーム７８にローラ回転用モータ６６が取付けられている。また、回転支持フレーム７８に、ローラ回転用モータ６６の回転駆動力を一対の駆動ローラ６４ａに伝達する態様でギヤ６７が回転自在に取付けられている。
【０１０８】
そして、従動ローラ６４ｂと駆動ローラ６４ａとの間の磁気カード１０が、カードリードライト部８０に送られると共に、カードリードライト部８０から送られた磁気カード１０が従動ローラ６４ｂと駆動ローラ６４ａとの間に挟込まれた状態で保持されるようになっている。
【０１０９】
このように構成された第１カード受渡反転機構部６０及びカードリードライト部８０による磁気カード１０への情報書込み動作について説明する。
【０１１０】
すなわち、カード搬送機構部１２０より搬送された磁気カード１０がカード送り部６２に移載される。すると、駆動ローラ６４ａの回転駆動により磁気カード１０がカードリードライト部８０に向けて送られ、カードリードライト部８０で磁気カード１０の一方の磁気ストライプ１２ａに情報の書込みや情報の読込みチェック等がなされる。この後、図１０（ａ）に示すように、カードリードライト部８０は、磁気カード１０を第１カード受渡反転機構部６０に戻す。磁気カード１０がカード送り部６２に戻されると、回転用モータ７２の回転駆動により、磁気カード１０を回転支持フレーム７８及びカード送り部６２と共に１８０度回転させる。そして、図１０（ｂ）に示すように、カード送り部６２は再度磁気カード１０をカードリードライト部８０に向けて送出す。この際、磁気カード１０は前回に対して１８０度回転した状態となっているから、前回とは逆に反対側の磁気ストライプ１２ｂが磁気読書部８４を通過するように送られる。これにより、磁気ストライプ１２ｂに情報の書込みや情報の読込みチェック等がなされる。この後、カードリードライト部８０は、磁気カード１０を第１カード受渡反転機構部６０に再度戻す。これにより、両方の磁気ストライプ１２ａ，１２ｂに発行処理を施された磁気カード１０が得られる。この後、第１カード受渡反転機構部６０は、次の第２カード受渡反転機構部９０に送る。
【０１１１】
このように構成された第１カード受渡反転機構部６０及びカードリードライト部８０を備えたカード発行装置によると、カード送り機構部８２で送られる磁気カード１０の一方部分である磁気ストライプ１２ａに磁気読書部８４により情報を書込んでカード発行処理を施した後、第１カード受渡反転機構部６０で磁気カード１０を反転させて再度カード送り機構部８２に送込むと、磁気読書部８４により磁気カード１０の他方側部分である磁気ストライプ１２ｂにも情報を書込んでカード発行処理を施すことができる。従って、一つの磁気読書部８４により磁気カード１０の両側部分である磁気ストライプ１２ａ，１２ｂにも発行処理を施すことができ、構成の簡易化を図ることができる。
【０１１２】
なお、ここでは、磁気カード１０の２つの磁気ストライプ１２ａ，１２ｂに情報を書込む例で説明したが、磁気カード１０の一方面（表面）及び他方面（裏面）に、発行処理を施す場合にも、同様にして一つの発行処理部で対応可能である。つまり、磁気カード１０の一方部分に発行処理を施す態様としては、磁気カード１０の一方側部（一方の長辺近傍部分）及び他方側部（他方の長辺近傍部分）に対する発行処理だけでなく、磁気カード１０の表面及び裏面（一方面及び他方面）に対する発行処理を行う場合も含む。
【０１１３】
すなわち、第２カード受渡反転機構部９０及び印刷部１００の例で説明すると、第２カード受渡反転機構部９０は、磁気カード１０を表裏反転させて印刷部１００に向けて送込み可能に構成されている。また、印刷部１００は、磁気カード１０の一方面である上面に印刷処理可能な印刷ヘッド１０２を備えている。
【０１１４】
そして、図１１（ａ）に示すように、第２カード受渡反転機構部９０は、磁気カード１０の表面を上向きにして印刷部１００に磁気カード１０を送込む。すると、印刷部１００は、磁気カード１０の上向き面である表面に印刷処理を施した後、磁気カード１０を第２カード受渡反転機構部９０に戻す。磁気カード１０が戻されると、図１１（ｂ）に示すように、第２カード受渡反転機構部９０は、磁気カード１０を、水平軸を中心にして回転させ、裏面を上向きにする。なお、この際の磁気カード１０の回転軸は、図１１（ｂ）に示す例に限られず、当初状態での対角線や一対の長辺の中央軸を中心に回転させてもよい。この後、図１１（ｃ）に示すように、第２カード受渡反転機構部９０は、磁気カード１０を再度印刷部１００に送込む。すると、印刷部１００は、上向き面である裏面に印刷処理を施した後、磁気カード１０を第２カード受渡反転機構部９０に戻す。これにより、表裏両面に発行処理として印刷処理を施された磁気カード１０が得られる。
【０１１５】
＜変形例＞
上記実施形態では、磁気カード１０を対象としているが、その他、ＩＣカード等にも適用できることは既に述べた通りである。また、カード発行処理としても、対象となるカードに応じて、種々の発行処理について適用できることについても上記した通りである。
【０１１６】
また、上記実施形態では、各部を直線移動させる機構として、移動対象をプーリーに巻掛けられたベルトに固着し、プーリーを回転させることで移動させる構成を採用しているが、必ずしもその必要はない。例えば、リニアモータやモータによる自走式の移動機構、流体シリンダ等を用いてもよい。また、各部を回転させる機構としても、モータの駆動力をギヤやベルト等で伝達する機構の他、モータによる直接駆動機構や流体シリンダを駆動源として回転運動に変換して伝達する機構等、種々の機構を採用することができる。
【図面の簡単な説明】
【０１１７】
【図１】実施形態に係るカード発行機の全体構成を示す側面図である。
【図２】処理対象となるカードを示す平面図である。
【図３】カード収容部集合体及びカード受渡機構部を示す側面図である。
【図４】カード収容部集合体及びカード受渡機構部を示す背面図である。
【図５】カード収容部集合体内のホッパカセットを示す平面図である。
【図６】同上のホッパカセットを示す横断面図である。
【図７】図７（ａ）〜図７（ｅ）はカード収容部集合体からカード受渡機構部への磁気カードの排出受渡動作を示す説明図である。
【図８】第１カード受渡反転機構部及びカードリードライト部を示す側面図である。
【図９】第１カード受渡反転機構部及びカードリードライト部を示す正面図である。
【図１０】第１カード受渡反転機構部及びカードリードライト部による磁気カードへの情報書込み動作を示す説明図である。
【図１１】第２カード受渡反転機構部及び印刷部での印刷処理動作を示す説明図である。
【符号の説明】
【０１１８】
１０  磁気カード
２０  カード収容部集合体
２２  集合体本体部
２２ｃ  中継プッシャ
２４ａ，２４ｂ  送出しローラ
３１  カード収容部
３２  収容本体部
３２ｈ  排出口
３６  カードピッカー
３６ａ  係合突部
３８  コイルバネ
４０  カード受渡機構部
４３  プッシャ
４４  プッシャ駆動部
４４ａ  プッシャ用モータ
５０  搬送移動機構部
６０  第１カード受渡反転機構部
６２  カード送り部
７０  回転機構部
８０  カードリードライト部
８２  カード送り機構部
８４  磁気読書部
９０  第２カード受渡反転機構部
１００  印刷部
Ｐ  送りライン
【図１】
2007280156.tif 000003
【図２】
2007280156.tif 000004
【図３】
2007280156.tif 000005
【図４】
2007280156.tif 000006
【図５】
2007280156.tif 000007
【図６】
2007280156.tif 000008
【図７】
2007280156.tif 000009
【図８】
2007280156.tif 000010
【図９】
2007280156.tif 000011
【図１０】
2007280156.tif 000012
【図１１】
2007280156.tif 000013